(57)【要約】【課題】計器内部への塵芥の侵入を抑制して、指針の指示精度を向上させて、組み付け性を良好なものとすることができる計器用ムーブメントの取付構造を提供する。【解決手段】計器用回路基板４に開口形成された一対の係止孔２４ｂ，２４ｂに、裏面側４ａから係止アーム部１４，１４が各々挿通されて、係止爪部１５，１５が、係止孔２４ｂ，２４ｂ周縁に係止されることにより、このケーシング部材１３が、計器用回路基板４の裏面側４ａに装着される。  係止アーム部１４，１４には、係止孔２４ｂ，２４ｂ内に位置する内側面１４ｃ，１４ｃの係止爪部１５，１５近傍の一部から側方に向けて、左，右一対の突起部１４ｆ，１４ｆが、各々突設されている。  この突起部１４ｆ，１４ｆは、ケーシング部材１３が、計器用回路基板４の裏面側４ａに装着された状態で、係止孔２４ｂ，２４ｂの開口内周縁に当接するように構成されている。【選択図】図１
2007303949.tif 000002
【特許請求の範囲】
【請求項１】
弾性変形可能な係止アーム部の先端に、係止爪部が形成されて、ケーシング部材から一体となるように延設すると共に、該回路基板に開口形成された係止孔に、前記係止アーム部を挿通させて、前記係止爪部を係止孔周縁に係止することにより、該ケーシング部材を、回路基板に装着する計器用ムーブメントの取付構造であって、
前記係止アーム部には、前記係止孔内に位置する側面部から突設されることにより、前記係止孔の開口内周縁に当接する突起部を設けたことを特徴とする計器用ムーブメントの取付構造。
【請求項２】
前記係止アーム部と対向する前記ケーシング部材の側面部に、該係止アーム部が、弾性変形により当接するストッパ部を突設形成すると共に、前記係止アーム部に設けられた前記突起部が、該ストッパ部を両側から摺動可能に挟持するように一対形成されていることを特徴とする請求項１記載の計器用ムーブメントの取付構造。
【発明の詳細な説明】
【技術分野】
【０００１】
本発明は、主に、車両に用いられる計器用ムーブメントの取付構造に関するものである。
【背景技術】
【０００２】
従来、図９乃至図１２に示すような計器用ムーブメントの取付構造が知られている（例えば、特許文献１等参照）。
【０００３】
まず、構成から説明すると、この従来の計器用ムーブメントの取付構造では、車両に搭載される計器内に設けられた計器用回路基板４の裏面側４ａに、ムーブメントの筐体を構成するケーシング部材１が、装着されている。
【０００４】
このケーシング部材１内には、電力の供給により、回転駆動する電動機と、この電動機の回転駆動力を減速する減速ギヤ群と、ファイナルギヤを介して、この回転駆動力を、指針９に伝達する回動軸部材８とが設けられている。
【０００５】
また、このケーシング部材１は、拝合により略密閉されるロアケース２及びアッパケース３とを有して主に構成されている。
【０００６】
このうち、アッパケース３側の底面部近傍からは、ロアケース２方向に向けて弾性変形可能な係止アーム部５，５が一対、このアッパケース３と一体にとなるように、前記ロアケース２の側面部２ａ，２ａに沿って延設されている。
【０００７】
これらの係止アーム部５，５の先端には、各々係止爪部６，６が形成されている。
【０００８】
また、前記ロアケース２の側面部２ａ，２ａには、前記係止アーム部５，５と対向する位置に、この係止アーム部５，５の弾性変形により、各内側面５ａ，５ａが、当接されるストッパ部７，７が、突設形成されている。
【０００９】
次に、この従来の計器用ムーブメントの取付構造の作用について説明する。
【００１０】
この従来の計器用ムーブメントの取付構造では、前記計器用回路基板４に開口形成された一対の係止孔４ｂ，４ｂに、裏面側４ａから前記係止アーム部５，５を各々挿通させて、前記係止爪部６，６を係止孔４ｂ，４ｂ周縁に係止することにより、このケーシング部材１が、計器用回路基板４の裏面側４ａに装着される。
【００１１】
この際、図１０に示すように、前記係止アーム部５，５と対向する位置に、突設形成されている前記ストッパ部７，７に、前記係止アーム部５，５の各内側面５ａ，５ａが、当接されて、一定寸法以上の回動軸部材８方向への移動が阻止されるので、前記係止アーム部５，５の先端部５ｂ，５ｂが、係止孔４ｂ，４ｂ周縁の裏面側に当接して、挿入不能となる虞が減少されている。
【特許文献１】特許第３６４４４０６号公報（００１６段落乃至００３９段落、図１、図２）
【発明の開示】
【発明が解決しようとする課題】
【００１２】
しかながら、このように構成された従来の計器用ムーブメントの取付構造では、前記計器用回路基板４の係止孔４ｂの開口面積を、前記係止アーム部５の先端に形成された係止爪部６の水平方向に沿った断面積よりも大きく設定しなければ、係止アーム部５を挿通させて、前記係止爪部６を係止孔４ｂ周縁に係止することができない。
【００１３】
このため、装着後、前記係止アーム部５の周囲と、前記係止孔４ｂの内周縁との間に間隙が、形成されてしまい、この間隙から、ゴミ、布、繊維等のコンタミや、或いは、この係止アーム部５又は、前記係止爪部６が、係止孔４ｂ周縁に摺接されて発生する合成樹脂材料の摩耗粉等の塵芥が、計器内部に侵入してしまう虞があった。
【００１４】
また、装着後は、前記係止爪部６の周囲と、前記係止孔４ｂの周縁との間に間隙が存在すると、前記回動軸部材８を中心に、前記ケーシング部材１の装着位置が、回転方向に位置ズレする虞が有り、指針９の指示精度を低下させてしまうといった問題もあった。
【００１５】
そこで、この発明は、計器内部への塵芥の侵入を抑制して、指針の指示精度を向上させて、組み付け性を良好なものとすることができる計器用ムーブメントの取付構造を提供することを課題としている。
【課題を解決するための手段】
【００１６】
上記目的を達成するために、請求項１に記載された発明は、弾性変形可能な係止アーム部の先端に、係止爪部が形成されて、ケーシング部材から一体となるように延設すると共に、該回路基板に開口形成された係止孔に、前記係止アーム部を挿通させて、前記係止爪部を係止孔周縁に係止することにより、該ケーシング部材を、回路基板に装着する計器用ムーブメントの取付構造であって、
前記係止アーム部には、前記係止孔内に位置する側面部から突設されることにより、前記係止孔の開口内周縁に当接する突起部を設けた計器用ムーブメントの取付構造を特徴としている。
【００１７】
また、請求項２に記載されたものは、前記係止アーム部と対向する前記ケーシング部材の側面部に、該係止アーム部が、弾性変形により当接するストッパ部を突設形成すると共に、前記係止アーム部に設けられた前記突起部が、該ストッパ部を両側から摺動可能に挟持するように一対形成されている請求項１記載の計器用ムーブメントの取付構造を特徴としている。
【発明の効果】
【００１８】
このように構成された請求項１記載のものは、前記係止孔内に位置する係止アーム部の側面部から、突設された突起部が、前記係止孔の開口内周縁に当接して、該係止アーム部の側面部と、前記係止孔の開口内周縁との間が塞がれる。
【００１９】
このため、ゴミ、布、繊維等のコンタミや、或いは、この係止アーム部又は、前記係止爪部と、前記係止孔周縁との間が、摺接される際に発生する合成樹脂材料の摩耗粉等の塵芥が、計器内部に侵入してしまう虞が減少する。
【００２０】
また、前記ケーシング部材が、回路基板に装着された後は、前記突起部によって、前記係止アーム部の周囲と、前記係止孔の内周縁との間の間隙量が減少されている。
【００２１】
このため、前記ケーシング部材の装着位置が、回転方向に位置ズレする虞が殆ど無く、指針の指示精度を向上させることができる。
【００２２】
また、請求項２に記載されたものは、前記ストッパ部が、前記係止アーム部に一対形成されている突起部によって、摺動可能に挟持されている。
【００２３】
このため、前記係止爪部が、前記係止孔周縁に係止された状態では、前記係止アーム部の弾性変形が、前記ケーシング部材の側面部から突設されたストッパ部によって抑制されて、更に、指針の指示精度を向上させることができる。
【００２４】
すなわち、外力に縒り捻りが加わっても、係止アーム部とケーシング部材との捻れが無くなり、指示精度が向上する。
【発明を実施するための最良の形態】
【００２５】
次に、図面に基づいて、この発明を実施するための最良の実施の形態の計器用ムーブメントの取付構造について説明する。なお、前記従来例と同一乃至均等な部分については同一符号を付して説明する。
【００２６】
図１乃至図８は、この発明の最良の実施の形態の計器用ムーブメントの取付構造を示すものである。
【００２７】
まず、全体の構成について、図２乃至図４を用いて説明すると、この実施の形態の計器用ムーブメント１０は、車両に搭載される計器としてのコンビネーションメータ１７内に設けられた計器用回路基板４の裏面側に、装着されるものである。
【００２８】
このコンビネーションメータ１７は、主に、ロアハウジング１８及びアッパハウジング１９によって構成される筐体２０内に、各種指針９…等の表示部が設けられた文字盤２１が配設されて構成されている。
【００２９】
この筐体２０の前面側には、図４に示すように、透明合成樹脂製のフロントカバー部材２２が、前記文字盤２１を覆うように、装着されると共に、裏面側には、前記計器用ムーブメント１０が、固着される計器用回路基板４が装着されている。
【００３０】
この計器用ムーブメント１０は、拝合により略密閉されるロアケース１１及びアッパケース１２とからなる合成樹脂製のケーシング部材１３を有している。
【００３１】
このケーシング部材１３内には、図示省略のコア部材と、電力の供給により、コア部材との間で回転駆動力を発生させる電動機と、この電動機の回転駆動力を減速する減速ギヤ…群とが設けられている。
【００３２】
また、このケーシング部材１３には、図４に示すように、指針９を軸支する回動軸部材８が設けられていて、前記減速ギヤと噛み合うファイナルギヤ部材８ａが、一体に固着されている。
【００３３】
そして、前記電動機の回転駆動力が、これらの減速ギヤ群及びファイナルギヤ部材８ａを介して、この回動軸部材８に伝達されて、前記指針９を回動させるように構成されている。
【００３４】
また、前記ケーシング部材１３のうち、アッパケース１２の底面部１２ａ側縁からは、弾性変形可能な合成樹脂製の係止アーム部１４，１４が、ケーシング部材１３のうち、前記アッパケース１２の底面部１２ａ側縁から一体となるように延設されていて、前記計器用回路基板４の方向に向けて、付根側屈曲部１４ａ，１４ａから、約９０度屈曲されている。
【００３５】
これらの係止アーム部１４，１４の先端には、係止爪部１５，１５が、お互いに外側に向けて突設形成されている。
【００３６】
そして、図５及び図６に示されるように、前記計器用回路基板４に開口形成された一対の係止孔２４ｂ，２４ｂに、裏面側４ａから前記係止アーム部１４，１４を各々挿通させて、前記係止爪部１５，１５が、係止孔２４ｂ，２４ｂ周縁に係止されることにより、このケーシング部材１３が、計器用回路基板４の裏面側４ａに装着されるように構成されている。
【００３７】
また、これらの係止アーム部１４，１４には、前記係止孔２４ｂ，２４ｂ内に位置する内側面１４ｃ，１４ｃの係止爪部１５，１５近傍の一部から側方に向けて、左，右一対の突起部１４ｆ，１４ｆが、各々突設されている。
【００３８】
この突起部１４ｆ，１４ｆは、ケーシング部材１３が、計器用回路基板４の裏面側４ａに装着された状態で、前記係止孔２４ｂ，２４ｂの開口内周縁に当接するように構成されている。
【００３９】
次に、この実施の形態の計器用ムーブメントの取付構造の作用効果について説明する。
【００４０】
このように構成された実施の形態の計器用ムーブメントの取付構造では、図１に示すように、前記計器用回路基板４の裏面側４ａに、前記計器用ムーブメント１０が装着されると、前記係止アーム部１４，１４が、前記係止孔２４ｂ，２４ｂに各々挿通されて、前記係止爪部１５，１５が、前記係止孔２４ｂ，２４ｂの周縁に係止された状態となる。
【００４１】
この装着状態では、図５及び図６に示すように、係止アーム部１４，１４の内側面１４ｃ，１４ｃから突設されて、一体に形成された突起部１４ｆ，１４ｆが、前記係止孔２４ｂ，２４ｂの開口内周縁に当接して、これらの係止アーム部１４，１４の内側面１４ｃ及び左，右側面部と、前記係止孔２４ｂの開口内周縁との間が塞がれる。
【００４２】
このため、ゴミ、布、繊維等のコンタミや、或いは、この係止アーム部１４又は、前記係止爪部１５と、前記係止孔２４ｂ周縁との間が、摺接される際に発生する合成樹脂材料の摩耗粉等の塵芥が、計器内部に侵入してしまう虞が減少する。
【００４３】
また、前記ケーシング部材１３が、回路基板４の裏面側４ａに装着された後は、前記突起部１４ｆ，１４ｆによって、前記係止アーム部１４の周囲と、前記係止孔２４ｂの内周縁との間の間隙量が減少されている。
【００４４】
このため、前記ケーシング部材１３の装着位置が、前記回動軸部材８を回転中心とする回転方向へ向けて、位置ズレする虞が殆ど無く、指針９の指示精度を向上させることができる。
【００４５】
すなわち、外力に縒り捻りが加わっても、係止アーム部１４の係止爪部１５と、  ケーシング部材１３との捻れが無くなり、指示精度が向上する。
【実施例１】
【００４６】
図７及び図８は、この発明の最良の実施の形態の実施例１の計器用ムーブメントの取付構造を示すものである。
【００４７】
なお、前記実施の形態と同一乃至均等な部分については、前記実施の形態と同一符号を付して説明する。
【００４８】
まず、この実施例１の構成を説明すると、この実施例１の計器用ムーブメントの取付構造では、図７に示すように、前記各係止アーム部１４，１４と対向する前記ケーシング部材１３の側面部１３ａ，１３ａに、これらの各係止アーム部１４，１４の内側面１４ｃ，１４ｃが、弾性変形により当接するストッパ部１３ｂ，１３ｂが各々突設形成されている。
【００４９】
そして、前記係止アーム部１４，１４には、突起部としての挟持突起部１１４ｆ，１１４ｆが、一体に設けられている。
【００５０】
これらの挟持突起部１１４ｆ，１１４ｆは、前記実施の形態の突起部１４ｆ，１４ｆよりも、付根側屈曲部１４ａ，１４ａに向けて、前記側面部１３ａ，１３ａに沿って一定長さを有して延設されていて、前記ストッパ部１３ｂ，１３ｂを両側から摺動可能に挟持するように一対形成されている。
【００５１】
次に、この実施例１の計器用ムーブメントの取付構造の作用効果について説明する。
【００５２】
この実施例１の計器用ムーブメントの取付構造では、前記実施の形態の作用効果に加えて、更に、前記計器用回路基板４の裏面側４ａに、前記計器用ムーブメント１０を装着する際、前記挟持突起部１１４ｆ，１１４ｆが、前記実施の形態の突起部１４ｆ，１４ｆよりも、付根側屈曲部１４ａ，１４ａに向けて、前記側面部１３ａ，１３ａに沿って一定長さを有して延設されているので、前記ストッパ部１３ｂ，１３ｂの両側に摺接されながら、弾性変形して、前記係止爪部１５，１５が、前記係止孔２４ｂ，２４ｂの周縁に係止される。
【００５３】
このように、前記ケーシング部材１３が、回路基板４の裏面側４ａに装着された状態では、前記ストッパ部１３ｂ，１３ｂが、前記係止アーム部１４，１４に一対形成されている挟持突起部１１４ｆ，１１４ｆによって、挟持されている。
【００５４】
この挟持突起部１１４ｆ，１１４ｆは、図７に示すように、前記係止孔２４ｂ，２４ｂ周縁に当接されているため、前記係止アーム部１４，１４の弾性変形が、前記ケーシング部材１３の側面部１３ａ，１３ａから突設されたストッパ部１３ｂ，１３ｂによって抑制されて、更に、指針９の指示精度を向上させることができる。
【００５５】
他の構成及び作用効果については、前記実施の形態と同一乃至均等であるので、説明を省略する。
【００５６】
以上、図面を参照して、本発明の実施の形態を詳述してきたが、具体的な構成は、この実施の形態に限らず、本発明の要旨を逸脱しない程度の設計的変更は、本発明に含まれる。
【００５７】
即ち、前記実施例１では、前記係止アーム部１４，１４の内側面１４ｃ，１４ｃから、一対の突起部１４ｆ，１４ｆを突設させているが、特にこれに限らず、係止アーム部１４，１４の左，右側面から一体に突設させたり、或いは、係止アーム部１４，１４の左，右側面と、内側面１４ｃとに跨る角部から一体に突設させる等、突起部１４ｆ，１４ｆの形状，数量及び材質が、特にこれに限定されるものではなく、ケーシング部材１３が、回路基板に装着された状態で、前記係止孔２４ｂ，２４ｂの開口内周縁に当接するものであれば、どのようなものであってもよい。
【図面の簡単な説明】
【００５８】
【図１】この発明の最良の実施の形態の計器用ムーブメントの取付構造で、計器用回路基板に、計器用ムーブメントのケーシング部材を装着する様子を説明する分解斜視図である。
【図２】実施の形態の計器用ムーブメントの取付構造が用いられるコンビネーションメータの正面図である。
【図３】実施の形態の計器用ムーブメントの取付構造が用いられるコンビネーションメータの背面図である。
【図４】実施の形態の計器用ムーブメントの取付構造が用いられるコンビネーションメータで、内部の構成を説明する図２中Ａ−Ａ線に沿った位置での断面図である。
【図５】実施の形態の計器用ムーブメントが装着された状態を説明する回路基板の上面図である。
【図６】実施の形態の計器用ムーブメントの取付構造で、装着時の状態を説明する図５中Ｂ−Ｂ線に沿った位置での断面図である。
【図７】実施の形態の実施例１の計器用ムーブメントが装着された状態を説明する回路基板の上面図である。
【図８】実施の形態の実施例１の計器用ムーブメントの取付構造で、装着時の状態を説明する図７中Ｃ−Ｃ線に沿った位置での断面図である。
【図９】従来例の計器用ムーブメントの取付構造で、構成を説明する分解側面図である。
【図１０】従来例の計器用ムーブメントの取付構造で、装着時の要部の拡大断面図である。
【図１１】従来例の計器用ムーブメントの取付構造で、全体の構成を説明する斜視図である。
【図１２】従来例の計器用ムーブメントの取付構造で、図１１中Ｚ矢視方向から見た平面図である。
【符号の説明】
【００５９】
４                    計器用回路基板（回路基板）
１０                  計器用ムーブメント
１１                  ロアケース
１２                  アッパケース
１３                  ケーシング部材
１３ａ                側面部
１３ｂ                ストッパ部
１４                  係止アーム部
１４ｃ                内側面（側面部）
１４ｆ，１４ｆ        突起部
１７                  コンビネーションメータ（計器）
２４ｂ                係止孔
１１４ｆ，１１４ｆ    挟持突起部
【図１】
2007303949.tif 000003
【図２】
2007303949.tif 000004
【図３】
2007303949.tif 000005
【図４】
2007303949.tif 000006
【図５】
2007303949.tif 000007
【図６】
2007303949.tif 000008
【図７】
2007303949.tif 000009
【図８】
2007303949.tif 000010
【図９】
2007303949.tif 000011
【図１０】
2007303949.tif 000012
【図１１】
2007303949.tif 000013
【図１２】
2007303949.tif 000014